(57)【要約】【課題】ロングタームエボリューションシステムにおいてトラッキングエリア更新およびセル再選択を実施する。【解決手段】本発明は、ＬＴＥ  ＴＡＵ、ならびにＴＡＣおよびＰＬＭＮ−ＩＤ支援のＷＴＲＵセル再選択を行う。発展型Ｎｏｄｅ−Ｂは、ＥＰＣネットワークにより送られるＥ−ＵＴＲＡＮパラメータ応答メッセージに少なくとも部分的に基づいて少なくとも１つのＳＩＢを含むシステム情報をブロードキャストする。ＷＴＲＵは、システム情報に基づいて、新しいセルのＴＡ−ＩＤを表す新しいＴＡＣを発生し、新しいＴＡＣを、以前のセルのＴＡ−ＩＤを表す既存のＴＡＣと比較する。ＷＴＲＵは、新しいセルのＴＡ−ＩＤを含むＴＡＵ要求メッセージをＥＰＣネットワークに伝送する。ＥＰＣネットワークは、ＴＡＵ受入メッセージまたはＴＡＵ拒絶メッセージをＷＴＲＵに送る。【選択図】図１
2012253799.tif 000002
【特許請求の範囲】
【請求項１】
トラッキングエリア識別を更新する無線送信／受信ユニット（ＷＴＲＵ）であって、
少なくとも１つのアンテナと、
前記アンテナに結合された受信機であって、前記少なくとも１つのアンテナを解してシステム情報ブロック（ＳＩＢ）を含むシステム情報を受信するように構成され、前記ＳＩＢは、モバイル国別コード（ＭＣＣ）と、モバイルネットワークコード（ＭＮＣ）と、トラッキングエリアコード（ＴＡＣ）と、を含む、受信機と、
前記受信機に結合されたプロセッサであって、前記ＴＡＣを使用して新しいセルのトラッキングエリアを識別し、前記ＴＡＣが複数の現在登録されたトラッキングエリアのうちの１つと一致しているかを前記受信したシステム情報に基づいて検出し、前記ＴＡＣが禁止されたトラッキングエリアリストに位置する複数のトラッキングエリアのうちの１つと一致しないことを判定し、かつ、前記ＴＡＣが前記複数の現在登録されたトラッキングエリアのうちの１つと一致していないことを前記プロセッサが検出した場合にトラッキングエリア更新（ＴＡＵ）要求メッセージを生成するように構成されたプロセッサと、
前記少なくとも１つのアンテナを介して発展型ノードＢ（ｅＮＢ）に前記ＴＡＵ要求メッセージを送信するように構成された送信機と、を備え、
前記受信機は、ＴＡＵ受入メッセージを受信するようにさらに構成され、前記ＴＡＵ受入メッセージは、受け入れられたトラッキングエリアのリストを含み、
前記プロセッサは、前記受け入れられたトラッキングエリアのリストに含まれている少なくとも１つのトラッキングエリアに基づいて前記禁止されたトラッキングエリアリストから前記少なくとも１つのトラッキングエリアを削除するようにさらに構成されることを特徴とするＷＴＲＵ。
【請求項２】
前記ＭＣＣは、第１のＭＣＣディジットと、第２のＭＣＣディジットと、第３のＭＣＣディジットとを含み、前記ＭＮＣは、第１のＭＮＣディジットと、第２のＭＮＣディジットと、第３のＭＮＣディジットとを含むことを特徴とする請求項１に記載のＷＴＲＵ。
【請求項３】
前記ＳＩＢは、複数のオクテットを含み、前記複数のオクテットの中の各オクテットは８ビットを有し、２進化１０進数（ＢＣＤ）表現であることを特徴とする請求項２に記載のＷＴＲＵ。
【請求項４】
前記複数のオクテットは、前記第２のＭＣＣディジット及び前記第１のＭＣＣディジットを含む第１のオクテットと、前記第３のＭＮＣディジット及び前記第３のＭＣＣディジットを含む第２のオクテットと、前記第２のＭＮＣディジット及び前記第１のＭＮＣディジットを含む第３のオクテットとを備えることを特徴とする請求項３に記載のＷＴＲＵ。
【請求項５】
トラッキングエリア識別を通信する方法であって、
システムブロック情報（ＳＩＢ）を含むシステム情報を受信するステップであって、前記ＳＩＢは、モバイル国別コード（ＭＣＣ）と、モバイルネットワークコード（ＭＮＣ）と、トラッキングエリアコード（ＴＡＣ）とを含む、ステップと、
前記ＴＡＣを使用して新しいセルのトラッキングエリアを識別するステップと、
前記ＳＩＢに基づいて、前記ＴＡＣが複数の現在登録されたトラッキングエリアのうちの１つと一致するかを検出するステップと、
前記ＴＡＣが禁止されたトラッキングエリアリストに位置する複数のトラッキングエリアのうちの１つと一致しないことを判定するステップと、
前記ＴＡＣが前記複数の現在登録されたトラッキングエリアのうちの１つと一致しないことを検出すると、トラッキングエリア更新（ＴＡＵ）要求メッセージを生成するステップと、
前記ＴＡＵ要求メッセージを伝送するステップと、
ＴＡＵ受入メッセージを受信するステップであって、前記ＴＡＵ受入メッセージは、受け入れられたトラッキングエリアのリストを含む、ステップと、
前記受け入れられたトラッキングエリアのリストに含まれている少なくとも１つのトラッキングエリアに基づいて前記禁止されたトラッキングエリアリストから前記少なくとも１つのトラッキングエリアを削除するステップと
を備えることを特徴とする方法。
【請求項６】
前記ＭＣＣは、第１のＭＣＣディジットと、第２のＭＣＣディジットと、第３のＭＣＣディジットとを含み、前記ＭＮＣは、第１のＭＮＣディジットと、第２のＭＮＣディジットと、第３のＭＮＣディジットとを含むことを特徴とする請求項５に記載の方法。
【請求項７】
前記ＳＩＢは、複数のオクテットを含み、前記複数のオクテットの中の各オクテットは８ビットを有し、２進化１０進数（ＢＣＤ）表現であることを特徴とする請求項６に記載の方法。
【請求項８】
前記複数のオクテットは、前記第２のＭＣＣディジット及び前記第１のＭＣＣディジットを含む第１のオクテットと、前記第３のＭＮＣディジット及び前記第３のＭＣＣディジットを含む第２のオクテットと、前記第２のＭＮＣディジット及び前記第１のＭＮＣディジットを含む第３のオクテットとを備えることを特徴とする請求項７に記載の方法。
【請求項９】
前記プロセッサは、新しい第２のセルを識別するようにさらに構成され、前記新しい第２のセルは、前記禁止されたトラッキングエリアリストに含まれるトラッキングエリアに属しており、該プロセッサは、前記禁止されたトラッキングエリアリストに含まれているトラッキングエリアに基づいて、前記新しい第２のセルがセル再選択のために不適切なセルであることを判定するように構成されたことを特徴とする請求項１に記載のＷＴＲＵ。
【請求項１０】
新しい第２のセルを識別するステップであって、前記新しい第２のセルは、前記禁止されたトラッキングエリアリストに含まれるトラッキングエリアに属する、ステップと、
前記禁止されたトラッキングエリアリストに含まれているトラッキングエリアに基づいて、前記新しい第２のセルがセル再選択のために不適切なセルであることを判定するステップと
をさらに備えることを特徴とする請求項５に記載の方法。
【発明の詳細な説明】
【技術分野】
【０００１】
本発明は、無線通信システムに関する。
【背景技術】
【０００２】
第三世代パートナーシッププロジェクト（３ＧＰＰ）では近年、改善されたスペクトル効率およびより高速なユーザ体験を提供するため、新しい技術、新しいネットワークアーキテクチャ、新しい構成、ならびに新しいアプリケーションおよびサービスを無線セルラーネットワークにもたらすロングタームエボリューション（ＬＴＥ）プログラムに着手した。ＬＴＥプログラムによって採用された１つの新しい項目は、モビリティトラッキングエリアの概念であり、これは以前の第三世代（３Ｇ）ユニバーサルモバイルテレコミュニケーションシステムズ（ＵＭＴＳ）システムのロケーションエリア（ＬＡ）、登録エリア（ＲＡ）、およびユニバーサル地上無線アクセスネットワーク（ＵＴＲＡＮ）登録エリア（ＵＲＡ）に取って代わるものである。
【０００３】
ＬＴＥ/システムアーキテクチャエボリューション（ＳＡＥ）において無線アクセスネットワーク（ＲＡＮ）およびコアネットワーク（ＣＮ）のために定義された共通のトラッキングエリアの概念は１つしかない。アイドル状態にある（ＬＴＥ＿ＩＤＬＥ）ＬＴＥ無線送信／受信ユニット（ＷＴＲＵ）の位置は、トラッキングエリアの細分性でネットワークによって知られている。目標は、モビリティエリア管理の複雑さを低減し、モビリティエリア更新の関連するシグナリングオーバーヘッドを低減し、それによりＵＭＴＳのＲＡ／ＬＡおよびＵＲＡの両方を使用するのに代えて、トラッキングエリア（ＴＡ）のみがＬＴＥに使用されるようにすることである。
【０００４】
ＬＴＥ以前には、第二世代（２Ｇ）のレガシーにより、３Ｇ  ＵＭＴＳモビリティエリア管理はロケーションエリアを有し、これは１つまたは複数のルーティングエリアを含む。３Ｇ  ＵＭＴＳはまたＵＲＡを有し、これは１つまたは複数のＵＭＴＳセルをカバーする。
モビリティ管理は、無線リソース制御（ＲＲＣ）ユニットによって管理されるＵＲＡ更新、および非アクセス階層（ＮＡＳ）プロトコルスタックにおいて汎用パケット無線サービス（ＧＰＲＳ）モビリティマネージャ（ＧＭＭ）によって管理されるルーティングエリア更新（ＲＡＵ）を伴う。ＷＴＲＵ  ＵＲＡ更新は、ＵＭＴＳシステム情報ブロック（ＳＩＢ）タイプ２（ＳＩＢ−２）内のセルパブリッシュＵＲＡ−ＩＤの内容と現在のＵＲＡ識別（ＵＲＡ−ＩＤ）の合致によりトリガされる。ＲＡＵは、公衆地上移動通信ネットワーク識別（ＰＬＭＮ−ＩＤ）、ロケーションエリアコード（ＬＡＣ）、およびルーティングエリアコード（ＲＡＣ）のうちのいずれか１つの変更によりトリガされる。ＬＡＣおよびＲＡＣは両方とも、ＳＩＢ−１を介してセルにパブリッシュされることに留意されたい。現在の３ＧＰＰ  ＵＭＴＳシステム情報ブロードキャストの内容を、以下の表１に示す。
【０００５】
【表１−１】
2012253799.tif 000003
【０００６】
【表１−２】
2012253799.tif 000004
【０００７】
【表１−３】
2012253799.tif 000005
【０００８】
以前採用されたＮＡＳ  ＲＡＵ手順およびＲＲＣ  ＵＲＡ更新手順はもはや適用がないことになるが、新しいＬＴＥトラッキングエリア更新（ＴＡＵ）手順およびその関連するＬＴＥ  ＳＩ、さまざまなプロトコルレベルおよびシステムレベルにおける操作手順およびタスクは定義されなければならないことになる。
【発明の概要】
【発明が解決しようとする課題】
【０００９】
概念ならびにアーキテクチャ上の変更を前提として、ＬＴＥシステム情報はこれらの変更を反映しなければならず、また、よりよいＷＴＲＵの動作および全体的なシステムリソース使用の最適化を容易にするように編成されなければならないことになる。
【課題を解決するための手段】
【００１０】
本発明は、ＬＴＥ  ＴＡＵ、ならびにトラッキングエリアコード（ＴＡＣ）およびＰＬＭＮ−ＩＤ支援の最適化されたＷＴＲＵセル再選択を行う。発展型Ｎｏｄｅ−Ｂ（ｅＮｏｄｅＢ）は、発展型パケットコア（ＥＰＣ）ネットワークによって送られる拡張ユニバーサル地上無線アクセスネットワーク（Ｅ−ＵＴＲＡＮ）パラメータ応答メッセージに少なくとも部分的に基づいて、少なくとも１つのＳＩＢを含むシステム情報をブロードキャストする。ＷＴＲＵは、システム情報に基づいて、新しいセルのトラッキングエリア識別（ＴＡ−ＩＤ）を表す新しいＴＡＣを処理し、新しいＴＡＣを、以前のセルのＴＡ−ＩＤを表す既存のＴＡＣと比較する。ＷＴＲＵは、新しいセルのＴＡ−ＩＤを含むＴＡＵ要求メッセージをＥＰＣネットワークに伝送する。ＥＰＣネットワークは、ＴＡＵ受入メッセージまたはＴＡＵ拒絶メッセージをＷＴＲＵに送る。
【００１１】
本発明は、システム情報をブロードキャストする固有のＬＴＥセルの近傍に配備されるＥ−ＵＴＲＡＮセルにわたるカバレッジのために、ＬＴＥ固有のモビリティトラッキングエリア識別、セル識別、およびＰＬＭＮ−ＩＤを共にシステム情報として関連付け、グループ化する。本発明はまた、ＷＴＲＵ  ＬＴＥ＿ＩＤＬＥ状態において可能な限り小さいＴＡＵシグナリングオーバーヘッドを達成するためにＬＴＥシステム情報を利用することによりセル測定およびセル再選択ランキングを行う最適化された方法をＬＴＥ  ＷＴＲＵに提供する。
【００１２】
さらに、新しいＬＴＥ  ＴＡ−ＩＤが構築され、ＴＡコード／ＩＤをサービス提供セルにパブリッシュする新しいＬＴＥ  ＳＩＢが提供されるだけでなく、ＷＴＲＵセル再選択の最適化の目的で、ＰＬＭＮ−ＩＤおよびＴＡＣと共にセルＩＤによって表される近傍セルをグループ化することになる。
【００１３】
ＴＡ関連のシステム情報を処理するためのＷＴＲＵ手順を使用することにより、ＮＡＳ内のＧＭＭユニットはシステム情報においてＴＡブロードキャストの検査を行うことができ、システム情報はＲＲＣユニットによってその現在のＴＡ許容と共にＮＡＳに転送されて、ＴＡ変更トリガＴＡＵが要求されるかを判定する。代替として、実装上の利点のために、ＲＲＣユニットはまた、上で説明されたＴＡ検査を行い、次いで、ＴＡＵが要求されるかをＮＡＳプロトコルスタックに通知する。
【００１４】
ＴＡＣは、セル再選択候補のセル選択、測定スケジューリング、および究極のセル再選択ランキングの順序付けにおいて基準として使用される。目的は、不必要なＴＡＵを生じさせることなく、適切なセルを再選択することである。
【００１５】
ＮＡＳプロトコルスタックのトラッキングエリアの高レベル制御（すなわち、ソフトウェア）、およびＵＭＴＳ加入者識別モジュール（ＵＳＩＭ）デバイスであり、「禁止されたＴＡのリスト」が高レベルのＷＴＲＵモビリティ制御のために実施されなければならない。禁止されたＴＡのリストの操作について説明する。
【００１６】
上記の発明の概要および下記の発明の詳細な説明は、添付の図面を参照して読めばよりよく理解されるであろう。
【図面の簡単な説明】
【００１７】
【図１】ｅＮｏｄｅＢ、ＥＰＣネットワーク、およびＷＴＲＵを含む無線通信システムにおいて実施されるＬＴＥ  ＴＡＵおよびセル再選択手順のシグナリング図である。
【図２】図１のＬＴＥ  ＴＡＵおよびセル再選択手順を実施するために使用されるＷＴＲＵの例示のブロック図である。
【図３】図１のＬＴＥ  ＴＡＵおよびセル再選択手順を実施するために使用されるｅＮｏｄｅＢの一例のブロック図である。
【図４】図３のｅＮｏｄｅＢによって伝送されるＳＩＢに含まれるＴＡ−ＩＤ情報要素（ＩＥ）の一例の図である。
【図５】図３のｅＮｏｄｅＢによって伝送されるＬＴＥシステム情報ブロック／要素の一例の図である。
【発明を実施するための形態】
【００１８】
以降参照されるとき、用語「無線送信／受信ユニット（ＷＴＲＵ）」は、ユーザ機器（ＵＥ）、移動局、固定または移動加入者ユニット、ページャー、セルラー電話、個人情報端末（ＰＤＡ）、コンピュータ、または無線環境において動作することのできる他の任意のタイプのユーザデバイスを含むが、これらに限定されない。以降参照されるとき、用語「発展型Ｎｏｄｅ−Ｂ（ｅＮｏｄｅＢ）」は、基地局、サイトコントローラ、アクセスポイント（ＡＰ）、または無線環境において動作することのできる他の任意のタイプのインターフェイスデバイスを含むが、これらに限定されない。
【００１９】
「ＬＴＥ／ＳＡＥにおいてＲＡＮおよびＣＮのために定義された共通のＴＡ概念は１つしかない」というＬＴＥモビリティエリアトラッキングの合意を前提として、トラッキングエリアの概念は、現在の３ＧＰＰルーティングエリアおよびＵＴＲＡＮ  ＲＡの概念および手順に取って代わる。その結果、ＬＴＥ  ＴＡＵ手順は新しい手順であり、それゆえサポートのための新しいメカニズムが必要となる。
【００２０】
図１は、ＷＴＲＵ１０５、ｅＮｏｄｅＢ１１０、およびＥＰＣネットワーク１１５を含む無線通信システムにおいて実施されるＬＴＥ  ＴＡＵおよびセル再選択手順１００を示すシグナリング図である。
【００２１】
図２は、図１のＬＴＥ  ＴＡＵおよびセル再選択手順１００を実施するために使用されるＷＴＲＵ１０５の一例のブロック図である。ＷＴＲＵ１０５は、受信機２０５、プロセッサ２１０、送信機２１５、ＵＳＩＭ２２０、および少なくとも１つのアンテナ２２５を含むことができる。プロセッサ２１０は、ＮＡＳプロトコルスタック１２０およびアクセス階層（ＡＳ）プロトコルスタック２３０を含むことができる。ＮＡＳプロトコルスタック１２０は、ＧＭＭ２３５またはそのＬＴＥと等価のユニットを含むことができる。ＧＭＭ２３５は、ＴＡＵタイマー２４０を含むことができる。ＡＳプロトコルスタック２３０は、ＲＲＣユニット１２５、パケットデータコンバージェンスプロトコル（ＰＤＣＰ）ユニット２４５、無線リンク制御（ＲＬＣ）ユニット２５０、メディアアクセス制御ユニット（ＭＡＣ）ユニット２５５、および物理層（ＰＨＹ）２６０を含むことができる。
【００２２】
図３は、図１のＬＴＥ  ＴＡＵおよびセル再選択手順１００を実施するために使用されるｅＮｏｄｅＢ１１０の一例のブロック図である。ｅＮｏｄｅＢ１１０は、受信機３０５、プロセッサ３１０、送信機３１５、および少なくとも１つのアンテナ３２０を含むことができる。プロセッサ３１０は、自己構成制御ユニット３２５、およびＡＳプロトコルスタック３３０を含むことができる。ＡＳプロトコルスタック３３０は、ＲＲＣユニット３３５、ＰＤＣＰユニット３４０、ＲＬＣユニット３４５、ＭＡＣユニット３５０、およびＰＨＹ３５５を含むことができる。
【００２３】
図１および図３を参照すると、ｅＮｏｄｅＢ１１０がパワーアップされると、プロセッサ３１０はｅＮｏｄｅＢ３１０のＥＰＣネットワーク１１５との接続／リンクを検査し、ＥＰＣネットワーク１１５にサービスを提供する一次サービス提供アクセスゲートウェイ（ａＧＷ）（図示せず）を識別し、送信機３１５によってｅＮｏｄｅＢ１１０のアンテナ３２０を介してＥＰＣネットワーク１１５に伝送されるＥ−ＵＴＲＡＮパラメータ要求メッセージ１３０を、識別された一次サービス提供ａＧＷを介して発生する。Ｅ−ＵＴＲＡＮパラメータ要求メッセージ１３０は、（いわゆるネットワーク共用環境における一次サービス提供ａＧＷおよびＥＰＣネットワーク１１５以外の）他のＥＰＣネットワーク接続に関連付けられている情報、ｅＮｏｄｅＢ１１０の他の識別されたｅＮｏｄｅＢとの接続に関連付けられている情報、およびｅＮｏｄｅＢ１１０の無線およびチャネルロード機能を収容することができる。
【００２４】
Ｅ−ＵＴＲＡＮパラメータ要求メッセージ１３０の受信に応答して、ＥＰＣネットワーク１１５はＥ−ＵＴＲＡＮパラメータ応答メッセージ１３５を伝送し、このメッセージはｅＮｏｄｅＢ１１０の受信機３０５によって受信され、次いでプロセッサ３１０の自己構成制御ユニット３２５によって処理される。Ｅ−ＵＴＲＡＮパラメータ応答メッセージ１３５は、ロケーションまたはトラッキングエリアＩＤおよびそれらの動作許可（禁止されているかどうか）などのネットワークエリアパーティショニング情報、ｅＮｏｄｅＢ１１０が接続ＥＰＣネットワーク１１５に向けて、（すなわち、ネットワーク共用またはノットワークノード再配置）、ならびにハンドオーバーおよびロードバランシングの動作ポリシーに関して他の接続ｅＮｏｄｅＢに向けて監視する必要のあるポリシーを収容することができる。
【００２５】
図１のステップ１４０において、ｅＮｏｄｅＢ１１０のプロセッサ３１０の自己構成制御ユニット３２５は、ＥＰＣネットワーク１１５とのシグナリングアクションをコマンドし、Ｅ−ＵＴＲＡＮパラメータ応答メッセージ１３５に含まれる情報およびその他のソース情報を要約し、セルおよび関連するＥ−ＵＴＲＡＮのためのシステム情報を形成する。自己構成制御ユニット３２５は次いで、システム情報をアセンブルし、ＳＩＢをフォーマットする（たとえば、ネットワーク／ロケーションエリア／セルＩＤを提案されたＳＩＢおよびその他のＳＩＢに組み合わせる／関連付ける）。ｅＮｏｄｅＢ１１０のＡＳプロトコルスタック３３０内のＲＲＣユニット３３５は、システム情報をセルにブロードキャストする責任を負い、さらに適切な運用上のＲＲＣのためにセル内の各個々のＷＴＲＵ１０５を構成する責任も負う。
【００２６】
ここで図１〜３を参照すると、ｅＮｏｄｅＢ１１０のＡＳプロトコルスタック３３０のＲＲＣユニット３３５は、次に、続けてプロセッサ３１０内のＡＳプロトコルスタック３３０のＰＨＹ３５５、およびｅＮｏｄｅＢ１１０の送信機３１５およびアンテナ３２０を介してセルのブロードキャストチャネル上でシステム情報をセル全体にブロードキャストする（図１のステップ１４５）。各ＷＴＲＵ１０５は（パワーアップするかまたは新しいセルに移動し、ｅＮｏｄｅＢ１１０によってサービスされるサービス提供セルに同期化したとき）、セルの固定の周波数ロケーション、コード、および時間構成で、ブロードキャストチャネルに自動的に同調し、アンテナ２２５、受信機２０５、およびＡＳプロトコルスタック２３０のＰＨＹ２６０を介してセル内のすべてのＷＴＲＵに利用可能なシステム情報の読み取りを開始することになる。
【００２７】
図１のステップ１５０において、ＷＴＲＵ１０５のＲＲＣユニット１２５は、受信機２０５からＰＨＹ２６０によって受信されたシステム情報の読み取りを受信、処理、格納、コマンドし、モビリティ制御のためにＮＡＳプロトコルスタック１２０のＧＭＭ２３５に適切な情報またはパラメータデータを提供し、ＬＴＥセル再選択を行い、ＬＴＥ  Ｅ−ＵＴＲＡデータの入力および出力、ならびにその他の操作のためにＰＤＣＰユニット２４５、ＲＬＣユニット２５０、ＭＡＣユニット２５５、およびＰＨＹ２６０を構成する。
【００２８】
図１のステップ１５５において、受信したシステム情報に基づいて、ＲＲＣユニット１２５は、ＡＳプロトコルスタック２３０とＮＡＳプロトコルスタック１２０の間の内部インターフェイス２６５を介してＴＡＣおよびその他の情報をＮＡＳプロトコルスタック１２０内のＧＭＭ２３５に送る。
【００２９】
図１のステップ１６０において、ＮＡＳプロトコルスタック１２０はＬＴＥ  ＴＡＵ手順を行い、その間にＮＡＳプロトコルスタック１２０内のＧＭＭ２３５は、以前のセルのＴＡ−ＩＤを表す既存のＴＡＣに対して、新しいセルのＴＡ−ＩＤを表すＲＲＣユニット１２５によって提供されたＴＡＣの比較を行う。単一のトラッキングエリアが多くのセルをカバーできることに留意されたい。
【００３０】
図１〜３を参照すると、ＷＴＲＵ１０５が異なるトラッキングエリアにあることをＴＡＣが示すとき、ＷＴＲＵ１０５のプロセッサ２１０内のＮＡＳプロトコルスタック１２０は、新しいセルのＴＡ−ＩＤを含むＴＡＵ要求メッセージ１６５を発生し、これはアンテナ２２５を介して送信機２１５によってＥＰＣネットワーク１１５に伝送される。ＴＡＵ要求メッセージ１６５の受信に応答して、ＥＰＣネットワーク１１５は、ＴＡＵ受入メッセージ１７０ＡまたはＴＡＵ拒絶メッセージ１７０ＢをＷＴＲＵ１０５に送り、これはＰＨＹ２６０、ＭＡＣユニット２５５、ＲＬＣユニット２５０、ＰＤＣＰユニット２４５、およびＲＲＣユニット１２５経由で、内部インターフェイス２６５を介してＮＡＳプロトコルスタック１２０内のＧＭＭ２３５に転送される。
【００３１】
ＴＡＵ受入メッセージ１７０Ａは、受け入れられたＴＡ−ＩＤと、オプションで、ＷＴＲＵ１０５が（追加のＴＡＵ手順を行う必要を低減するために）動作することができるトラッキングエリアのその他のＴＡ−ＩＤを収容することができる。オプションで、これらの受け入れられたＴＡ−ＩＤは、受け入れられたＴＡ−ＩＤが特定のＴＡ−ＩＤと合致する場合、ＧＭＭ２３５に格納されている「禁止されたＴＡ−ＩＤのリスト」内の特定のＴＡ−ＩＤを除去するために使用することができる。
【００３２】
ＴＡＵ拒絶メッセージ１７０Ｂは、ＧＭＭ２３５の動作状態が変更されうる拒絶の原因／理由を収容することができる。ＴＡＵ拒絶メッセージ１７０Ｂは、拒絶されたＴＡ−ＩＤと、オプションで、ＷＴＲＵ１０５が入ることを許されないその他のＴＡのリストを収容することができる。拒絶されたＴＡ−ＩＤは、ＷＴＲＵ１０５がこれらのＴＡ−ＩＤに関連付けられているＴＡの下でセルに再選択しないことになるように、ＧＭＭ２３５に格納されている「禁止されたＴＡ−ＩＤのリスト」に追加される必要があるかもしれない。
【００３３】
ＷＴＲＵ１０５のＲＲＣユニット１２５は、次いで、ＴＡＣおよびＰＬＭＮ−ＩＤ支援の最適化されたＬＴＥ  ＷＴＲＵセル再選択手順１７５を定期的に行うことになる。セル再選択１７５は、処理およびバッテリー電力を節約するために、禁止されたトラッキングエリア（ＴＡ−ＩＤ）の下でセルを測定および再選択しようと試みるべきではない。
【００３４】
ＬＴＥにおいて、ｅＮｏｄｅＢ１１０のＲＲＣユニット３３５は依然として、セルでシステム情報をブロードキャストすることにより、モビリティエリア管理情報（すなわち、ＰＬＭＮ−ＩＤ、ＴＡＣ、およびセルＩＤ）を１つまたは複数のＷＴＲＵ１０５に提供する。ＲＲＣユニット３３５は、モビリティエリアＩＤおよびネットワークＩＤを、サービス提供セルおよび近傍セルのセルＩＤと共にグループ化して、ＰＬＭＮおよびＴＡ情報に関してＬＴＥ  ＴＡ更新ならびにＷＴＲＵセル再選択の最適化のための情報を供給するために、ＬＴＥネットワーク、ＴＡ、およびセルの関連付けをＷＴＲＵに提供する。このように、セルおよび近傍セルへのＴＡ情報は、ＰＬＭＮ情報とグループ化されて、モビリティエリアならびにセルおよびネットワークアイデンティティの関連付けのための新しいＬＴＥシステム情報ブロックまたは要素を形成する。ＬＴＥ  ＴＡ更新に使用されるＴＡ−ＩＤは、定義され構築される必要がある。
【００３５】
ＷＴＲＵ１０５のＲＲＣユニット１２５は、ｅＮｏｄｅＢ１１０によってブロードキャストされたシステム情報を受信し、システム情報（特にＴＡＣ）をＮＡＳプロトコルスタック１２０に中継し、ＴＡＵ手順を実施するためにシステム情報（ネットワークＩＤ、ＴＡＣ、セルＩＤの関連付け）を利用し、ＷＴＲＵセル再選択プロセスを行うのを支援する。ＮＡＳプロトコルスタック１２０は、ＬＴＥ  ＴＡＵ手順を行うためにＲＲＣユニット１２５によって提供されたＴＡＣを利用する。
【００３６】
ＬＴＥにおいて、ＴＡＣは、ＬＴＥシステム情報から適切なＥ−ＵＴＲＡＮセルにブロードキャストされ、セルのために使用される。１つのセルがいくつかのＴＡに属するか、またはＷＴＲＵが複数のＴＡにも登録される（ここで、１つのセルは１つのＴＡに属する）ことも可能であるので、１つまたは複数のＴＡＣはシステム情報ブロードキャストに含まれることができる。
【００３７】
図４は、ｅＮｏｄｅＢ１１０のプロセッサ３１０内の自己構成制御ユニット３２５によって発生されるＳＩＢに含まれうるＴＡ−ＩＤ４００の一例を示している。ＴＡ−ＩＤ  ＩＥ４００はまた、ＬＴＥ  ＴＡＵ手順を行うためにＷＴＲＵ１０５のＮＡＳプロトコルスタック１２０、またはＥＰＣネットワーク１１５内のその対応物によってＴＡＵ要求メッセージ１６５またはＴＡＵ受入／拒絶メッセージ１７０Ａおよび１７０Ｂに含まれてもよい。
【００３８】
図４に示されるように、ＴＡ−ＩＤ  ＩＥ４００は、符号化８ビットのＴＡ識別ＩＥ−ＩＤフィールド４０５、および最大２４ビットのフィールド幅（通常は使用されるフィールド幅は１６〜２４ビット）を提供するＴＡＣフィールド４１０、４１５、および４２０を含むことができる。オクテット位置フィールド４２５は要素タイプであり、フィールド４３０によって示されるように、必須のプレゼンス（ＭＰ）を有する。フィールド４３２、４３４、４３６、４３８、４４０、および４４２は、通常のＰＬＭＮのコンポーネントを表す。ラベル付けされたフィールド４４４、４４６、および４４８は、ＴＡ−ＩＤ  ＩＥ４００内のコンポーネント（４３２／４３４、４３６／４３８、および４４０／４４２）のオクテット位置を示す。フィールド４５０によって示されるように、ＰＬＭＮフィールド４３２〜４４８はオプションのプレゼンス（ＯＰ）を有し、それによりＰＬＭＮが存在する場合ｘ＝１、ＰＬＭＮが存在しない場合ｘ＝０である。それゆえ、ＰＬＭＮが存在するとき、（ｘ＝１）、フィールド４４４、４４６、４４８は、２、３、および４のオクテット位置を示す。それ以外の場合、ＰＬＭＮが存在しないとき（ｘ＝０）、フィールド４３２〜４４２は存在せず、フィールド４４４、４４６、および４４８は、すべてオクテット１を示すであろうから、フィールド４２５と同じになり、無視される。
【００３９】
たとえば、どのＰＬＭＮに属するかに関わりなくＴＡＣがグローバルに一意である場合、ＴＡ−ＩＤはＴＡＣと同じである（フィールド４５０を参照、ここでｘ＝０のときＰＬＭＮフィールドが存在しないことが示される）。ＴＡＣが各ネットワークオペレータによってのみ割り当てられる場合（すなわち、ＴＡＣはＰＬＭＮごと）、ローミングの要件を考慮して、ＴＡ−ＩＤ＝ＰＬＭＮ−ＩＤ＋ＴＡＣである（フィールド４５０を参照、ここでｘ＝１のときＰＬＭＮフィールドが存在することが示される）。
【００４０】
フィールド４１０および４１５はＴＡＣを表し、フィールド４５２および４５４によって示されるように、（１６ビットに対応する）ＭＰを有する。フィールド４２０は（その幅が最大２４ビットまで拡張すると仮定して）ＴＡＣの続きを表し、フィールド４５６によって示されるように、ＯＰを有する。たとえば、ＴＡ−ＩＤ  ＩＥ４００がＰＬＭＮを含まない場合、これはフィールド４０５、４１０、４１５、および４２０からなる。ＴＡ−ＩＤがＰＬＭＮを含む場合、これはフィールド４０５、４１０、４１５、４２０と、モバイル国別コード（ＭＣＣ）ディジットフィールド４３２、４３４、および４３６と、モバイルネットワークコード（ＭＮＣ）ディジットフィールド４４０、４４２、および４４４からなり、これらは２進化１０進数（ＢＣＤ）表現である（すなわち、ディジット０〜９の２進符号化による４ビットフィールド、たとえば、「１００１」は９を表す）。
【００４１】
図５は、Ｅ−ＵＴＲＡＮ  ＴＡＵおよびＥ−ＵＴＲＡＮモビリティエリア識別管理情報に使用されるＬＴＥ  ＳＩＢ（またはシステム情報要素）５００を示している。図５のＥ−ＵＴＲＡＮ  ＳＩＢ５００は、ｅＮｏｄｅＢ１１５がモビリティエリアＩＤおよび利用可能なネットワークＩＤを、セルでのブロードキャストのためにクラスタ化されたＥ−ＵＴＲＡＮ  ＳＩＢとしてグループ化することによって形成される。さまざまなＩＤおよびそれらの関連付けは、ＷＴＲＵ１０５の動作が遭遇する可能性のある近傍のすべてのセルに関して、ネットワーク、トラッキングエリアの静的／恒久的、または長期の関連付けを提供する。これは、ここでは関係しない他のセル再選択も担うことになる、（ＥＰＣネットワーク１１５またはｅＮｏｄｅＢ１１０の問題により、場合によっては利用可能であることも、利用不可であることもある）、これら近傍セルの動作上のステータスによって影響を受ける、近傍セルの情報リストとは独立であることに留意されたい。
【００４２】
このＥ−ＵＴＲＡＮ  ＳＩＢは最初に、サービス提供セルに関してＩＤ関連付けをリストする。ＩＤは、フィールド５０５によって示されるように、「重複ＴＡ」スキームでサービス提供セルに関連付けられている複数のＴＡ、または「複数のＴＡ登録」スキームに関連付けられている１つのＴＡとすることができる。
【００４３】
近傍セルは、次いで、ＰＬＭＮ−ＩＤ、および最初にサービス提供セルＴＡ−ＩＤリストに示されたＴＡ−ＩＤでソートされた関連するＴＡ−ＩＤと共にリストされる。
【００４４】
情報要素（ＩＥ）リスト（システム情報ブロック内の近傍セルとのＥ−ＵＴＲＡＮモビリティエリア情報）はまた、ＳＩＢシグナリングのサイズ削減のために、（セルＩＤにより）セルを類似するＰＬＭＮ−ＩＤと一緒に／隣接して位置付ける。図５において、ＰＬＭＮ−ＩＤおよびＴＡＣは、シグナリングスペースを節約するために分離されていることに留意されたい。ＷＴＲＵ１０５は、ＴＡ−ＩＤ＝ＰＬＭＮ−ＩＤ＋ＴＡＣである場合、それらからＴＡ−ＩＤを構築することができる。それ以外の場合、ＴＡ−ＩＤ＝ＴＡＣである。
【００４５】
図５のＬＴＥ  ＳＩＢ（またはシステムＩＥ）５００は、ＬＴＥセルＩＤ、ＴＡ−ＩＤ（ＴＡＣとして図示）、およびＰＬＭＮ−ＩＤを共に組み合わせ／グループ化して、処理するのに便利なガイダンス、すなわちある近傍セルへの再選択が行われるべきかどうかを判定するためにこのネットワーク／トラッキングエリア／セル関連付け情報で近傍セルを評価するのに便利なガイダンスをＷＴＲＵ１０５に提供する。
【００４６】
本発明は、フィールド５０５によって示されるように、セルへのＴＡ割り当ての２つの競合するスキーム（すなわち、「複数のＴＡ登録」および「重複ＴＡ」）に合うように、図５の表の表現に最大の柔軟性を組み込む。第１の「複数のＴＡ」スキームの場合、１つのサービス提供セルは１つのＴＡにしか割り当てられないことになるが、複数のＴＡをＴＡＵ時間において１つのＷＴＲＵに割り当てることができる。第２の「重複ＴＡ」スキームの場合、１つのサービス提供セルを複数のＴＡに割り当てることができ、図５の「ｍａｘＴＡｓＴｏＡＣｅｌｌ」値は１になる（すなわち１つのＴＡは１つのセルに割り当てられる）。
【００４７】
図５を参照すると、列５１０は、情報要素名／グループ名を示す。「必要性（ｎｅｅｅｄ）」列５１５は、この情報ブロック／要素を使用してメッセージをフォーマットするとき、そこにあるコンポーネントのプレゼンスコード（ＭＰ／ＯＰ）を示す。「複数（ｍｕｌｔｉ）」列５２０は、複数の同じコンポーネント／要素（ただし異なる値）が１対多の関連付けを有するようにそこに置かれたかどうかを示す。「タイプと参照（ｔｙｐｅ  ａｎｄ  ｒｅｆｅｒｅｎｃｅ）」列５２５は、その他の要素の場所のコンポーネント／要素のさらなる詳細／分解を提供する。「セマンティクス（ｓｅｍａｎｔｉｃｓ）」列５３０は、要素のフォーマットまたは処理の仕方を示す。
【００４８】
図５に示されるＬＴＥ  ＳＩＢ（またはシステムＩＥ）は静的または非一次の性質を有し、静的とは時間の経過に伴って頻繁には変化しないことを意味し、非一次とは、ＬＴＥの一次ブロードキャストチャネル（Ｐ−ＢＣＨ）を介してブロードキャストされず、動的ブロードキャストチャネル（Ｄ−ＢＣＨ）を通じてサービス提供セルにブロードキャストされることを意味する。このＬＴＥ  ＳＩＢまたはシステム情報要素は、ＬＴＥ＿ＩＤＬＥモードでＷＴＲＵ１０５によって読み取られるものとし、ＷＴＲＵ１０５がＬＴＥ＿ＩＤＬＥ状態にある間に主として使用される。ＬＴＥ  ＳＩＢは、特定のサービス提供セルに関連付けられる。
【００４９】
ＷＴＲＵ１０５のＲＲＣユニット１２５は、ＬＴＥ＿ＩＤＬＥにある間、新しいセルが入力されるとき、このシステム情報ブロック（ＳＩＢ）を読み取る。セルがこのＳＩＢに対する変更を示さない限り、このＳＩＢを頻繁に再読込みする必要はない。ＷＴＲＵ１０５のＲＲＣユニット１２５が、サービス提供セルのＴＡＣに関するＬＴＥシステム情報ブロードキャストを受信したとき、ＲＲＣユニット１２５は、内部インターフェイス２６５を介して現在のサービス提供セルに関連付けられているＴＡＣをＮＡＳプロトコルスタック１２０に渡し、ＧＭＭ２３５にＴＡＵを排他的に処理させるか、または新しいサービス提供セルのリストされたＴＡＣを以前のセルを介して現在使用されているＴＡＣに対して検査することができる。新しいＴＡＣのうちの１つが現在使用されているものと（または現在登録されているＴＡのうちの１つと）合致する場合、ＴＡ境界は超えていないので、ＴＡＵは要求されない。このように、ＲＲＣは単に情報を保持することができる。それ以外の場合、ＴＡＣの合致がなければ、ＴＡＣはＮＡＳプロトコルスタック１２０まで渡され、ＮＡＳプロトコルスタック１２０にＴＡＵを行わせなければならない。目的は、ＲＲＣユニット１２５とＮＡＳプロトコルスタック１２０の間のシグナリング／対話のオーバーヘッドを低減することである。
【００５０】
一方、ＷＴＲＵ１０５のＲＲＣユニット１２５は、ＷＴＲＵセル再選択測定ならびにセル再選択ランキングおよび決定プロセスを最適化するために、図５のＳＩＢでブロードキャストされたＰＬＭＮ−ＩＤ、ＴＡＣ、およびセルＩＤの関連付けを使用する。
【００５１】
測定候補セルは、前方の順序でそれらのセルを順序付けるものとする。１）Ｈ−ＰＬＭＮでのセル、および好ましいＴＡＣでのセル（好ましいＴＡは、ＷＴＲＵが現在登録されているもの、またはＷＴＲＵが新しいセルに入る以前のセルをカバーするＴＡ）。（現在のＴＡの観点から）好ましいＴＡＣでのセルは、周波数内、周波数間、または別の無線アクセス技術（ＲＡＴ）測定に関して、測定スケジューリングのために前面の順序にするものとする。好ましいＴＡＣでのセルは、測定された信号強度およびその他の評価基準が、好ましいＴＡＣを処理していないセルに関してほぼ同じである場合、上位にランキングされるものとする。目標は、近傍セルへのＷＴＲＵ  ＬＴＥセル再選択が不必要にＴＡまたはグループＴＡ境界を超えて、不要なＬＴＥ  ＴＡＵが行われなければならないという状況を回避することである。
【００５２】
ＷＴＲＵ１０５のＮＡＳプロトコルスタック１２０のＧＭＭ２３５は、ＷＴＲＵ１０５によって入力されたＴＡが、禁止されたＴＡのリストに属していない場合、ＴＡＵ関連のオペレーションを行うことになる。禁止されたＴＡのリストは、ＷＴＲＵ１０５が移入することを許されない１つまたは複数のＴＡを識別する。リストは、ＷＴＲＵ１０５がパワーオフされるとき、オプションでＷＴＲＵ１０５のＵＳＩＭ２２０に格納されてもよい。ＷＴＲＵがパワーオンされると、リストはＧＭＭ２３５にロードされる。リストは、ＴＡＵ受入メッセージ１７０ＡまたはＴＡＵ拒絶メッセージ１７０Ｂによって修正することができる。
【００５３】
検出されたトラッキングエリア変更：  ＲＲＣによって転送された１つまたは複数のＴＡＣが、以前のＴＡＵ受入メッセージによって、またはＷＴＲＵパワーアップの始めにＵＳＩＭ２２０から取り出されたＴＡ−ＩＤによって認可された現在のＴＡＣまたはＴＡ−ＩＤと任意の単一の合致を有しない場合、ＷＴＲＵ１０５内のＮＡＳプロトコルスタック１２０は、そのＴＡの場所をＥＰＣネットワーク１１５にレポートするためにＴＡＵ要求または接続の試み（ａｔｔａｃｈ  ｅｆｆｏｒｔ）を開始するものとする。
【００５４】
定期的なＴＡＵ：  ＷＴＲＵ１０５のＴＡＵタイマー２４０が、定期的ＴＡＵを行うために確立された時間期間が満了したことを示す場合、ＷＴＲＵ１０５のＮＡＳプロトコルスタック１２０は、ＥＰＣネットワーク１１５に対してＴＡＵをトリガする。ＷＴＲＵ１０５がＬＴＥ＿ＩＤＬＥ状態にあるとき、ＴＡＵタイマー２４０は、たとえば、１２〜１５分の範囲内または他の値に設定することができる。ＴＡＵ拒絶メッセージ１７０Ｂが受信される場合、後続のＴＡＵ要求は、別のＴＡに登録してページングを受信するために、ＴＡＵタイマー２４０をはるかに短い１０〜１５秒の範囲または他の値に設定することによって管理される。
【００５５】
ＴＡＵにおいて、ＷＴＲＵ１０５は、その無線アクセスおよび／またはセキュリティ機能でＥＰＣネットワーク１１５を更新することもできる。ＷＴＲＵ１０５は、ＥＰＣネットワーク１１５と不連続受信（ＤＲＸ）または接続コンテキスト（パケットデータプロトコル（ＰＤＰ）コンテキストなど）の更新をネゴシエートすることができる。ＤＲＸは、アイドルモードのＷＴＲＵ１０５が可能な入来コールに対してページングチャネルをモニターするためにウェイクアップすべき頻度を判定するパラメータである。禁止されたＴＡのリストのエントリは、ＵＳＩＭデバイス２２０およびＴＡＵ拒絶メッセージ１７０Ｂの２つのソースからであることに留意されたい。ＴＡＵ拒絶メッセージ１７０Ｂは、ＷＴＲＵ１０５がレポートされたトラッキングエリアからのサービスを取得することをＥＰＣネットワーク１１５が許可しない場合、ＷＴＲＵ１０５に送信される。ＴＡＵ拒絶メッセージ１７０Ｂは、必要ならセル再選択の選択を行う際にＷＴＲＵ１０５をガイドするためにも、拒絶されたＴＡの１つまたは複数のＩＤを収容することができる。これらの拒絶されたＴＡ−ＩＤは、禁止されたＴＡのリストに追加される。
【００５６】
（実施形態）
１．  少なくとも１つのアンテナと、
アンテナに結合された送信機であって、アンテナを介してＥ−ＵＴＲＡＮ（Ｅｎｈａｎｃｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）パラメータ要求メッセージを伝送するように構成された送信機と、
アンテナに結合された受信機であって、アンテナを介してＥ−ＵＴＲＡＮパラメータ応答メッセージを受信するように構成された受信機と、
受信機および送信機に結合されたプロセッサであって、Ｅ−ＵＴＲＡＮパラメータ応答メッセージに含まれる情報およびその他のソース情報を要約して少なくとも１つのシステム情報ブロック（ＳＩＢ）を含むシステム情報を発生し、アンテナを介して伝送のためにシステム情報を送信機に転送するプロセッサと
を備えたことを特徴とするｅＮｏｄｅＢ（ｅｖｏｌｖｅｄ  Ｎｏｄｅ−Ｂ）。
２．  プロセッサは、
自己構成制御ユニットと、
自己構成制御ユニットに結合されたアクセス階層（ＡＳ）プロトコルスタックと
を備えたことを特徴とする実施形態１に記載のｅＮｏｄｅＢ。
３．  ＡＳプロトコルスタックは、
無線リソース制御（ＲＲＣ）ユニットと、
ＲＲＣユニットに結合されたパケットデータコンバージェンスプロトコル（ＰＤＣＰ）ユニットと、
ＲＲＣユニットおよびＰＤＣＰユニットに結合された無線リンク制御（ＲＬＣ）ユニットと、
ＲＬＣユニットおよびＲＲＣユニットに結合されたメディアアクセス制御ユニット（ＭＡＣ）ユニットと、
ＲＲＣユニットおよびＭＡＣユニットに結合された物理層（ＰＨＹ）と
を備えたことを特徴とする実施形態２に記載のｅＮｏｄｅＢ。
４．  ＲＲＣユニットは、複数の無線送信／受信ユニットが動作するセルにシステム情報をブロードキャストするように構成され、ＲＲＣユニットはまた、適切な運用上のＲＲＣのためにセル内の各個々のＷＴＲＵを構成する責任も負うことを特徴とする実施形態３に記載のｅＮｏｄｅＢ。
５．  ＲＲＣユニットは、ＰＨＹ、送信機、およびアンテナを介してセルのブロードキャストチャネル上でシステム情報をブロードキャストするように構成されることを特徴とする実施形態４に記載のｅＮｏｄｅＢ。
６．  Ｅ−ＵＴＲＡＮパラメータ要求メッセージは、ＥＰＣ（Ｅｖｏｌｖｅｄ  Ｐａｃｋｅｔ  Ｃｏｒｅ）ネットワーク接続に関連付けられている情報を含むことを特徴とする実施形態１から５のいずれか一つに記載のｅＮｏｄｅＢ。
７．  Ｅ−ＵＴＲＡＮパラメータ要求メッセージは、ｅＮｏｄｅＢのその他の識別されたｅＮｏｄｅＢとの接続に関連付けられている情報を含むことを特徴とする実施形態１から５のいずれか一つに記載のｅＮｏｄｅＢ。
８．  Ｅ−ＵＴＲＡＮパラメータ要求メッセージは、関連付けられている情報ならびにｅＮｏｄｅＢの無線およびチャネルロード機能を含むことを特徴とする実施形態１から５のいずれか一つに記載のｅＮｏｄｅＢ。
９．  Ｅ−ＵＴＲＡＮパラメータ応答メッセージは、ネットワークエリアパーティショニング情報を収容することを特徴とする実施形態１から５のいずれか一つに記載のｅＮｏｄｅＢ。
１０．  Ｅ−ＵＴＲＡＮパラメータ応答メッセージは、ロケーションエリア識別およびそれらの動作許可を収容することを特徴とする実施形態１から５のいずれか一項に記載のｅＮｏｄｅＢ。
１１．  Ｅ−ＵＴＲＡＮパラメータ応答メッセージは、Ｅ−ＵＴＲＡＮパラメータ要求メッセージの受信に応答してＥ−ＵＴＲＡＮパラメータ応答メッセージを送信した接続済みＥＰＣ（Ｅｖｏｌｖｅｄ  Ｐａｃｋｅｔ  Ｃｏｒｅ）ネットワークに向けてｅＮｏｄｅＢが監視する必要のあるポリシーに関連付けられている情報を収容することを特徴とする実施形態１から５のいずれか一つに記載のｅＮｏｄｅＢ。
１２．  Ｅ−ＵＴＲＡＮパラメータ応答メッセージは、ハンドオーバーおよびロードバランシングの動作ポリシーに関連付けられている情報を収容することを特徴とする実施形態１から５のいずれか一つに記載のｅＮｏｄｅＢ。
１３．  ＳＩＢは、トラッキングエリア識別（ＴＡ−ＩＤ）情報要素（ＩＥ）を含むことを特徴とする実施形態１から１２のいずれか一つに記載のｅＮｏｄｅＢ。
１４．  ＴＡ−ＩＤ  ＩＥは、ＴＡ−ＩＤ  ＩＥ識別フィールドと、複数のＴＡコード（ＴＡＣ）フィールドと、公衆地上移動通信ネットワーク（ＰＬＭＮ）が存在するかどうかを示す複数のフィールドとを含むことを特徴とする実施形態１３に記載のｅＮｏｄｅＢ。
１５．  少なくとも１つのアンテナと、
アンテナに結合された受信機であって、アンテナを介して少なくとも１つのシステム情報ブロック（ＳＩＢ）を含むシステム情報を受信するように構成された受信機と、
受信機に結合されたプロセッサであって、受信したシステム情報に基づいて、新しいセルのトラッキングエリア識別（ＴＡ−ＩＤ）を表す新しいトラッキングエリアコード（ＴＡＣ）を発生し、新しいＴＡＣを以前のセルのＴＡ−ＩＤを表す既存のＴＡＣと比較し、新しいセルのＴＡ−ＩＤを含むトラッキングエリア更新（ＴＡＵ）要求メッセージを発生するように構成されたプロセッサと、
アンテナを介してＴＡＵ要求メッセージを伝送する送信機と
を備えたことを特徴とする無線送信／受信ユニット（ＷＴＲＵ）。
１６．  プロセッサは、
非アクセス階層（ＮＡＳ）プロトコルスタックと、
ＮＡＳプロトコルスタックに結合されたアクセス階層（ＡＳ）プロトコルスタックと
を備えたことを特徴とする実施形態１５に記載のＷＴＲＵ。
１７．  ＡＳプロトコルスタックは、
無線リソース制御（ＲＲＣ）ユニットと、
ＲＲＣユニットに結合されたパケットデータコンバージェンスプロトコル（ＰＤＣＰ）ユニットと、
ＲＲＣユニットおよびＰＤＣＰユニットに結合された無線リンク制御（ＲＬＣ）ユニットと、
ＲＬＣユニットおよびＲＲＣユニットに結合されたメディアアクセス制御ユニット（ＭＡＣ）ユニットと、
ＲＲＣユニットおよびＭＡＣユニットに結合された物理層（ＰＨＹ）と
を備えたことを特徴とする実施形態１６に記載のＷＴＲＵ。
１８．  ＮＡＳプロトコルスタックは、ＴＡＵタイマーを含む汎用パケット無線サービス（ＧＰＲＳ）モビリティマネージャ（ＧＭＭ）を備えたことを特徴とする実施形態１６に記載のＷＴＲＵ。
１９．  プロセッサに結合されたＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ）加入者識別モジュール（ＵＳＩＭ）をさらに備え、ＵＭＴＳは、ＷＴＲＵがパワーアップされるときＧＭＭにロードされる禁止されたＴＡ−ＩＤのリストを格納したことを特徴とする実施形態１８に記載のＷＴＲＵ。
２０．  受信機は、ＴＡＵ受入メッセージまたはＴＡＵ拒絶メッセージを受信するようにさらに構成されたことを特徴とする実施形態１９に記載のＷＴＲＵ。
２１．  ＴＡＵ受入メッセージは、ＷＴＲＵが動作することを許されるトラッキングエリアに対して少なくとも１つの受け入れられたＴＡ−ＩＤを備えたことを特徴とする実施形態２０に記載のＷＴＲＵ。
２２．  受け入れられたＴＡ−ＩＤは、受け入れられたＴＡ−ＩＤが特定のＴＡ−ＩＤと合致する場合、ＧＭＭに格納されている禁止されたＴＡ−ＩＤのリスト内の特定のＴＡ−ＩＤを削除するために使用されることを特徴とする実施形態２１に記載のＷＴＲＵ。
２３．  ＴＡＵ拒絶メッセージは、新しいセルのＴＡ−ＩＤが拒絶された理由を示すことを特徴とする実施形態２０に記載のＷＴＲＵ。
２４．  ＴＡＵ拒絶メッセージは、拒絶されたＴＡ−ＩＤおよびその他の禁止されたＴＡ−ＩＤのリストを収容することを特徴とする実施形態２３に記載のＷＴＲＵ。
２５．  その他の禁止されたＴＡ−ＩＤは、ＧＭＭのロードされたリストに追加されることを特徴とする実施形態２４に記載のＷＴＲＵ。
２６．  ＲＲＣユニットは、ＴＡＣおよび公衆地上移動通信ネットワーク識別（ＰＬＭＮ−ＩＤ）支援の最適化ＬＴＥ（Ｌｏｎｇ  Ｔｅｒｍ  Ｅｖｏｌｕｔｉｏｎ）ＷＴＲＵセル再選択手順を定期的に行い、それによりセル再選択は処理およびバッテリー電力を節約するために禁止されたＴＡ−ＩＤの下でセルに対して行われることを特徴とする実施形態１７に記載のＷＴＲＵ。
２７．  定期的ＴＡＵを行うために確立された時間期間が満了したことをＴＡＵタイマーが示す場合、ＮＡＳプロトコルスタックは、ＴＡＵをトリガすることを特徴とする実施形態１８に記載のＷＴＲＵ。
２８．  ＷＴＲＵ１０５がＬＴＥ＿ＩＤＬＥ状態にあるとき、ＴＡＵタイマーは、第１の期間に設定され、ＴＡＵ拒絶メッセージが受信された場合、後続のＴＡＵ要求は、別のトラッキングエリアに登録してページングを受信するために第１の期間よりも実質的に短い第２の期間にＴＡＵタイマーを設定することによって管理されることを特徴とする実施形態２７に記載のＷＴＲＵ。
２９．  Ｅ−ＵＴＲＡＮ（Ｅｎｈａｎｃｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）パラメータ要求メッセージを伝送するように構成されたｅＮｏｄｅＢ（ｅｖｏｌｖｅｄ  Ｎｏｄｅ−Ｂ）と、
ｅＮｏｄｅＢからのＥ−ＵＴＲＡＮパラメータ要求メッセージの受信に応答してＥ−ＵＴＲＡＮパラメータ応答メッセージをｅＮｏｄｅＢに送るように構成されたＥＰＣ（Ｅｖｏｌｖｅｄ  Ｐａｃｋｅｔ  Ｃｏｒｅ）ネットワークと、
ｅＮｏｄｅＢから少なくとも１つのシステム情報ブロック（ＳＩＢ）を含むシステム情報を受信するように構成された受信機であって、システム情報は少なくとも部分的にＥ−ＵＴＲＡＮパラメータ応答メッセージに基づいてｅＮｏｄｅＢによって発生される受信機と、
受信したシステム情報に基づいて、新しいセルのトラッキングエリア識別（ＴＡ−ＩＤ）を表す新しいトラッキングエリアコード（ＴＡＣ）を発生し、新しいＴＡＣを以前のセルのＴＡ−ＩＤを表す既存のＴＡＣと比較するように構成されたプロセッサと、
新しいセルのＴＡ−ＩＤを含むトラッキングエリア更新（ＴＡＵ）要求メッセージをＥＰＣネットワークに伝送するように構成された送信機であって、ＥＰＣネットワークはＴＡＵ要求メッセージに応答してＴＡＵ受入メッセージまたはＴＡＵ拒絶メッセージをＷＴＲＵに送る送信機と
を備えた無線送信／受信ユニット（ＷＴＲＵ）と
を備えたことを特徴とするＬＴＥ（Ｌｏｎｇ  Ｔｅｒｍ  Ｅｖｏｌｕｔｉｏｎ）無線通信システム。
３０．  プロセッサは、
非アクセス階層（ＮＡＳ）プロトコルスタックと、
ＮＡＳプロトコルスタックに結合されたアクセス階層（ＡＳ）プロトコルスタックと
を備えたことを特徴とする実施形態２９に記載のＬＴＥ無線通信システム。
３１．  ＡＳプロトコルスタックは、
無線リソース制御（ＲＲＣ）ユニットと、
ＲＲＣユニットに結合されたパケットデータコンバージェンスプロトコル（ＰＤＣＰ）ユニットと、
ＲＲＣユニットおよびＰＤＣＰユニットに結合された無線リンク制御（ＲＬＣ）ユニットと、
ＲＬＣユニットおよびＲＲＣユニットに結合されたメディアアクセス制御ユニット（ＭＡＣ）ユニットと、
ＲＲＣユニットおよびＭＡＣユニットに結合された物理層（ＰＨＹ）と
を備えたことを特徴とする実施形態３０に記載のＬＴＥ無線通信システム。
３２．  ＮＡＳプロトコルスタックは、ＴＡＵタイマーを含む汎用パケット無線サービス（ＧＰＲＳ）モビリティマネージャ（ＧＭＭ）を備えたことを特徴とする実施形態３１に記載のＬＴＥ無線通信システム。
３３．  ＷＴＲＵは、プロセッサに結合されたＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ）加入者識別モジュール（ＵＳＩＭ）をさらに備え、ＵＭＴＳは、ＷＴＲＵがパワーアップされるときＧＭＭにロードされる禁止されたＴＡ−ＩＤのリストを格納したことを特徴とする実施形態３２に記載のＬＴＥ無線通信システム。
３４．  ＴＡＵ受入メッセージは、ＷＴＲＵが動作することを許されるトラッキングエリアに対して少なくとも１つの受け入れられたＴＡ−ＩＤを収容することを特徴とする実施形態３３に記載のＬＴＥ無線通信システム。
３５．  受け入れられたＴＡ−ＩＤは、受け入れられたＴＡ−ＩＤが特定のＴＡ−ＩＤと合致する場合、ＧＭＭに格納されている禁止されたＴＡ−ＩＤのリスト内の特定のＴＡ−ＩＤを削除するために使用されることを特徴とする実施形態３４に記載のＬＴＥ無線通信システム。
３６．  ＴＡＵ拒絶メッセージは、新しいセルのＴＡ−ＩＤが拒絶された理由を示すことを特徴とする実施形態３３に記載のＬＴＥ無線通信システム。
３７．  ＴＡＵ拒絶メッセージは、拒絶されたＴＡ−ＩＤおよびその他の禁止されたＴＡ−ＩＤのリストを収容することを特徴とする実施形態３６に記載のＬＴＥ無線通信システム。
３８．  その他の禁止されたＴＡ−ＩＤは、ＧＭＭにロードされたリストに追加されることを特徴とする実施形態３７に記載のＬＴＥ無線通信システム。
３９．  ＲＲＣユニットは、ＴＡＣおよび公衆地上移動通信ネットワーク識別（ＰＬＭＮ−ＩＤ）支援の最適化ＬＴＥ  ＷＴＲＵセル再選択手順を定期的に行い、それによりセル再選択は処理およびバッテリー電力を節約するために禁止されたＴＡ−ＩＤの下でセルに対して行われることを特徴とする実施形態３７に記載のＬＴＥ無線通信システム。
４０．  無線送信／受信ユニット（ＷＴＲＵ）のトラッキングエリアを更新する方法であって、
Ｅ−ＵＴＲＡＮ（Ｅｎｈａｎｃｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）パラメータ要求メッセージを伝送することと、
Ｅ−ＵＴＲＡＮパラメータ要求メッセージに応答してＥ−ＵＴＲＡＮパラメータ応答メッセージを受信することと、
少なくとも部分的にＥ−ＵＴＲＡＮパラメータ応答メッセージに基づいて少なくとも１つのシステム情報ブロック（ＳＩＢ）を含むシステム情報を発生することと、
システム情報に基づいて、新しいセルのトラッキングエリア識別（ＴＡ−ＩＤ）を表す新しいトラッキングエリアコード（ＴＡＣ）を発生することと、
新しいＴＡＣを以前のセルのＴＡ−ＩＤを表す既存のＴＡＣと比較することと、
新しいセルのＴＡ−ＩＤを含むトラッキングエリア更新（ＴＡＵ）要求メッセージを伝送することと
を備えることを特徴とする方法。
４１．  ＷＴＲＵが動作することを許されるトラッキングエリアに対して少なくとも１つの受け入れられたＴＡ−ＩＤを収容するＴＡＵ要求メッセージに応答してＴＡＵ受入メッセージを受信することをさらに備えることを特徴とする実施形態４０に記載の方法。
４２．  禁止されたＴＡ−ＩＤのリストをメモリにロードすることと、
受け入れられたＴＡ−ＩＤが、禁止されたＴＡ−ＩＤのリスト内の特定のＴＡ−ＩＤと合致するかどうかを判定することと、
受け入れられたＴＡ−ＩＤが特定のＴＡ−ＩＤと合致した場合、禁止されたＴＡ−ＩＤのリストから特定のＴＡ−ＩＤを削除することと
をさらに備えることを特徴とする実施形態４１に記載の方法。
４３．  ＴＡＵ要求メッセージに応答してＷＴＲＵが動作することを許されない少なくとも１つの拒絶されたＴＡ−ＩＤを収容するＴＡＵ拒絶メッセージを受信することをさらに備えることを特徴とする実施形態４０に記載の方法。
４４．  禁止されたＴＡ−ＩＤのリストをメモリにロードすることと、
拒絶されたＴＡ−ＩＤが、禁止されたＴＡ−ＩＤのリスト内のＴＡ−ＩＤのいずれかと合致するかどうかを判定することと、
拒絶されたＴＡ−ＩＤが、禁止されたＴＡ−ＩＤのリスト内のＴＡ−ＩＤのいずれとも合致しない場合、拒絶されたＴＡ−ＩＤを禁止されたＴＡ−ＩＤのリストに追加することと
をさらに備えることを特徴とする実施形態４３に記載の方法。
４５．  ＴＡＣおよび公衆地上移動通信ネットワーク識別（ＰＬＭＮ−ＩＤ）支援の最適化ＬＴＥ（Ｌｏｎｇ  Ｔｅｒｍ  Ｅｖｏｌｕｔｉｏｎ）ＷＴＲＵセル再選択手順を定期的に行うことであって、セル再選択は処理およびバッテリー電力を節約するために禁止されたＴＡ−ＩＤの下でセルに対して行われること
をさらに備えることを特徴とする実施形態４４に記載の方法。
【００５７】
特徴および要素は特定の組み合わせで実施形態において説明されるが、各特徴または要素は、実施形態の他の特徴および要素なしで単独で使用するか、または本発明の他の特徴および要素の有無にかかわらずさまざまな組み合わせで使用することができる。本明細書において提供される方法または流れ図は、汎用コンピュータまたはプロセッサによる実行のためにコンピュータ可読記憶媒体で具体的に化体されるコンピュータプログラム、ソフトウェア、またはファームウェアにおいて実施することができる。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、磁気光学媒体、ＣＤ−ＲＯＭディスクおよびデジタル多用途ディスク（ＤＶＤ）などの光媒体を含む。
【００５８】
適したプロセッサは、例として、汎用プロセッサ、専用プロセッサ、標準的なプロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および／またはステートマシンを含む。
【００５９】
ソフトウェアと関連するプロセッサは、無線送信受信ユニット（ＷＴＲＵ）、ユーザ機器（ＩＥ）、端末、基地局、無線ネットワークコントローラ（ＲＮＣ）、または任意のホストコンピュータでの使用のために無線周波数送受信機を実施するために使用することができる。ＷＴＲＵは、カメラ、ビデオカメラモジュール、テレビ電話、スピーカーフォン、振動デバイス、スピーカー、マイクロフォン、テレビ送受信機、ハンドフリーヘッドセット、キーボード、ブルートゥース（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレイヤー、メディアプレイヤー、テレビゲームプレイヤーモジュール、インターネットブラウザ、および／または任意の無線ローカルエリアネットワーク（ＷＬＡＮ）モジュールなど、ハードウェアおよび／またはソフトウェアにおいて実施されるモジュールと共に使用することができる。
【図１】
2012253799.tif 000006
【図２】
2012253799.tif 000007
【図３】
2012253799.tif 000008
【図４】
2012253799.tif 000009
【図５】
2012253799.tif 000010
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
トラッキングエリア識別を更新する無線送信／受信ユニット（ＷＴＲＵ）であって、
少なくとも１つのアンテナと、
前記アンテナに結合された受信機であって、前記少なくとも１つのアンテナを介してシステム情報ブロック（ＳＩＢ）を含むシステム情報を受信するように構成され、前記ＳＩＢは、モバイル国別コード（ＭＣＣ）と、モバイルネットワークコード（ＭＮＣ）と、トラッキングエリアコード（ＴＡＣ）と、を含む、受信機と、
前記受信機に結合されたプロセッサであって、前記ＴＡＣを使用して新しいセルのトラッキングエリアを識別し、前記識別されたトラッキングエリアが複数の現在登録されたトラッキングエリアのうちの１つと一致しているかを前記受信したシステム情報に基づいて検出し、前記識別されたトラッキングエリアが禁止されたトラッキングエリアリストに位置する複数のトラッキングエリアのうちの１つと一致しないことを判定し、かつ、前記識別されたトラッキングエリアが前記複数の現在登録されたトラッキングエリアのうちの１つと一致していないことを前記プロセッサが検出した場合にトラッキングエリア更新（ＴＡＵ）要求メッセージを生成するように構成されたプロセッサと、
前記少なくとも１つのアンテナを介して発展型ノードＢ（ｅＮＢ）に前記ＴＡＵ要求メッセージを送信するように構成された送信機と、を備え、
前記受信機は、ＴＡＵ受入メッセージを受信するようにさらに構成され、前記ＴＡＵ受入メッセージは、受け入れられたトラッキングエリアのリストを含み、
前記プロセッサは、前記受け入れられたトラッキングエリアのリストに含まれている少なくとも１つのトラッキングエリアに基づいて前記禁止されたトラッキングエリアリストから前記少なくとも１つのトラッキングエリアを削除するようにさらに構成されることを特徴とするＷＴＲＵ。
【請求項２】
前記禁止されたトラッキングエリアリストは、トラッキングエリア識別（ＴＡ−ＩＤ）のリストであることを特徴とする請求項１に記載のＷＴＲＵ。
【請求項３】
前記新しいセルに対するトラッキングエリア識別（ＴＡ−ＩＤ）は、公衆地上移動通信ネットワーク識別（ＰＬＭＮ−ＩＤ）及び前記ＴＡＣを含むことを特徴とする請求項２に記載のＷＴＲＵ。
【請求項４】
前記ＰＬＭＮ−ＩＤは、前記ＭＣＣと前記ＭＮＣとを含むことを特徴とする請求項３に記載のＷＴＲＵ。
【請求項５】
前記プロセッサは、第２の新しいセルを識別し、該第２の新しいセルが前記禁止されたトラッキングエリアリストに位置する前記複数のトラッキングエリアのうちの１つに属していることに基づいて、該第２の新しいセルがセル再選択に不適切なセルであると判定するようにさらに構成されることを特徴とする請求項１に記載のＷＴＲＵ。
【請求項６】
前記受信機は、非アクセス階層（ＮＡＳ）メッセージを受信するようにさらに構成され、前記ＮＡＳメッセージは、第２のＴＡＣ、トラッキングエリア識別情報要素識別（ＴＡ−ＩＤ  ＩＥＩ）、第２のモバイル国別コード（ＭＣＣ）及び第２のモバイルネットワークコード（ＭＮＣ）を含むことを特徴とする請求項１に記載のＷＴＲＵ。
【請求項７】
前記ＭＣＣは、第１のＭＣＣディジットと、第２のＭＣＣディジットと、第３のＭＣＣディジットとを含み、前記ＭＮＣは、第１のＭＮＣディジットと、第２のＭＮＣディジットと、第３のＭＮＣディジットとを含むことを特徴とする請求項６に記載のＷＴＲＵ。
【請求項８】
前記ＮＡＳメッセージは、複数のオクテットを含み、前記複数のオクテットの中の各オクテットは８ビットを有し、２進化１０進数（ＢＣＤ）表現であることを特徴とする請求項７に記載のＷＴＲＵ。
【請求項９】
前記複数のオクテットは、前記ＴＡ−ＩＤ  ＩＥＩを含む第１のオクテットと、前記第２のＭＣＣディジット及び前記第１のＭＣＣディジットを含む第２のオクテットと、前記第３のＭＮＣディジット及び前記第３のＭＣＣディジットを含む第３のオクテットと、前記第２のＭＮＣディジット及び前記第１のＭＮＣディジットを含む第４のオクテットとを含むことを特徴とする請求項８に記載のＷＴＲＵ。
【請求項１０】
前記プロセッサは、ＴＡＵタイマの満了に基づいてＴＡＵ手順を開始するようにさらに構成されることを特徴とする請求項１に記載のＷＴＲＵ。
【請求項１１】
トラッキングエリア識別を通信する方法であって、
システムブロック情報（ＳＩＢ）を含むシステム情報を受信するステップであって、前記ＳＩＢは、モバイル国別コード（ＭＣＣ）と、モバイルネットワークコード（ＭＮＣ）と、トラッキングエリアコード（ＴＡＣ）とを含む、ステップと、
前記ＴＡＣを使用して新しいセルのトラッキングエリアを識別するステップと、
前記ＳＩＢに基づいて、前記識別されたトラッキングエリアが複数の現在登録されたトラッキングエリアのうちの１つと一致するかを検出するステップと、
前記識別されたトラッキングエリアが、禁止されたトラッキングエリアリストに位置する複数のトラッキングエリアのうちの１つと一致しないことを判定するステップと、
前記識別されたトラッキングエリアが前記複数の現在登録されたトラッキングエリアのうちの１つと一致しないことを検出すると、トラッキングエリア更新（ＴＡＵ）要求メッセージを生成するステップと、
前記ＴＡＵ要求メッセージを伝送するステップと、
ＴＡＵ受入メッセージを受信するステップであって、前記ＴＡＵ受入メッセージは、受け入れられたトラッキングエリアのリストを含む、ステップと、
前記受け入れられたトラッキングエリアのリストに含まれている少なくとも１つのトラッキングエリアに基づいて前記禁止されたトラッキングエリアリストから前記少なくとも１つのトラッキングエリアを削除するステップと
を備えることを特徴とする方法。
【請求項１２】
前記禁止されたトラッキングエリアリストは、トラッキングエリア識別（ＴＡ−ＩＤ）のリストであることを特徴とする請求項１１に記載の方法。
【請求項１３】
前記新しいセルに対するトラッキングエリア識別（ＴＡ−ＩＤ）は、公衆地上移動通信ネットワーク識別（ＰＬＭＮ−ＩＤ）及び前記ＴＡＣを含むことを特徴とする請求項１２に記載の方法。
【請求項１４】
前記ＰＬＭＮ−ＩＤは、前記ＭＣＣと前記ＭＮＣとを含むことを特徴とする請求項１３に記載の方法。
【請求項１５】
第２の新しいセルを識別するステップと、
前記第２の新しいセルが前記禁止されたトラッキングエリアリストに位置する前記複数のトラッキングエリアのうちの１つに属していることに基づいて、該第２の新しいセルがセル再選択に不適切なセルであると判定するステップと
さらに備えることを特徴とする請求項１１に記載の方法。
【請求項１６】
非アクセス階層（ＮＡＳ）メッセージを受信するステップをさらに備え、前記ＮＡＳメッセージは、第２のＴＡＣ、トラッキングエリア識別情報要素識別（ＴＡ−ＩＤ  ＩＥＩ）、第２のモバイル国別コード（ＭＣＣ）及び第２のモバイルネットワークコード（ＭＮＣ）を含むことを特徴とする請求項１１に記載の方法。
【請求項１７】
前記ＭＣＣは、第１のＭＣＣディジットと、第２のＭＣＣディジットと、第３のＭＣＣディジットとを含み、前記ＭＮＣは、第１のＭＮＣディジットと、第２のＭＮＣディジットと、第３のＭＮＣディジットとを含むことを特徴とする請求項１６に記載の方法。
【請求項１８】
前記ＮＡＳメッセージは、複数のオクテットを含み、前記複数のオクテットの中の各オクテットは８ビットを有し、２進化１０進数（ＢＣＤ）表現であることを特徴とする請求項１７に記載の方法。
【請求項１９】
前記複数のオクテットは、前記ＴＡ−ＩＤ  ＩＥＩを含む第１のオクテットと、前記第２のＭＣＣディジット及び前記第１のＭＣＣディジットを含む第２のオクテットと、前記第３のＭＮＣディジット及び前記第３のＭＣＣディジットを含む第３のオクテットと、前記第２のＭＮＣディジット及び前記第１のＭＮＣディジットを含む第４のオクテットとを含むことを特徴とする請求項１８に記載の方法。
【請求項２０】
ＴＡＵタイマの満了に基づいてＴＡＵ手順を開始するステップをさらに備えることを特徴とする請求項１１に記載の方法。